(57)【要約】【課題】携帯電話機のアラーム機能の増強を図る。【解決手段】携帯電話機２は設定したアラーム時間になるとアラーム音を出力し、アラーム音の出力を停止する操作が行われない場合、ドアフォン装置１０へ音出力コマンドを無線通信で送信する。ドアフォン装置１０は無線通信機能を具備し、携帯電話機２から送信された音出力コマンドを受信すると、ドアチャイム音を鳴らす。携帯電話機２のユーザは、ドアフォン装置１０からドアチャイム音が鳴ることで、だれかが訪問して来たと錯覚して、驚いて寝床から抜け出すことになり、通常の携帯電話機２のアラーム機能に比べて、眠っているユーザを一段と強く目覚めさせることができる。【選択図】図１
2008079075.tif 000002
【特許請求の範囲】
【請求項１】
アラーム出力時刻を設定した携帯電話機が、無線通信の可能な音出力装置から装置音を出力させる音出力方法であって、
前記携帯電話機は、
時刻を計時し、
計時した時刻が前記アラーム出力時刻に一致することに基づいて、音出力コマンドを前記音出力装置へ無線通信で送信し、
前記音出力装置は、
前記音出力コマンドの受信に応じて装置音を出力することを特徴とする音出力方法。
【請求項２】
アラーム出力時刻を設定した携帯電話機が、無線通信の可能な複数の音出力装置の中の少なくとも一つから装置音を出力させる音出力方法であって、
前記携帯電話機は、
時刻を計時し、
計時した時刻が前記アラーム出力時刻に一致することに基づいて、複数の音出力装置の中から少なくとも一つの音出力装置を選択する処理を行い、
選択した音出力装置へ音出力コマンドを無線通信で送信し、
前記音出力装置は、
前記音出力コマンドの受信に応じて装置音を出力することを特徴とする音出力方法。
【請求項３】
前記携帯電話機は、
計時した時刻が前記アラーム出力時刻に一致した場合、アラーム音を出力し、
アラーム音の出力停止操作を受け付けない場合に前記音出力コマンドを送信する請求項１又は請求項２に記載の音出力方法。
【請求項４】
前記携帯電話機は、
装置音の出力停止操作を受け付けた場合、装置音を出力する音出力装置へ音出力停止コマンドを無線通信で送信し、
前記音出力装置は、
音出力停止コマンドの受信に応じて装置音の出力を停止する請求項１乃至請求項３のいずれか１つに記載の音出力方法。
【請求項５】
前記携帯電話機は、表示部を有しており、
計時した時刻が前記アラーム出力時刻に一致することに基づいて、数を特定する処理を行い、
特定した数を前記表示部に表示し、
前記出力停止操作として、表示された数の入力操作を受け付けた場合、前記音出力停止コマンドを送信する請求項４に記載の音出力方法。
【請求項６】
前記携帯電話機は、第１検知部を具備しており、
前記音出力装置は、第２検知部を具備しており、
装置音を出力する音出力装置は、
前記第２検知部で前記携帯電話機の第１検知部の接近を検知した場合、装置音の出力を停止する請求項１乃至請求項５のいずれか１つに記載の音出力方法。
【請求項７】
前記音出力装置は、音出力停止操作の受け付けが可能な操作部を具備しており、
装置音を出力する音出力装置は、
前記操作部で音出力停止操作を受け付けた場合、装置音の出力を停止する請求項１乃至請求項６のいずれか１つに記載の音出力方法。
【請求項８】
前記音出力装置は、音データ及び／又は画像データの出力処理部を具備しており、
装置音の出力を停止した場合、前記出力処理部で音データ及び／又は画像データの出力処理を行う請求項４乃至請求項７のいずれか１つに記載の音出力方法。
【請求項９】
前記携帯電話機は、
音データ及び／又は画像データを無線通信で、前記音出力コマンドの送信先の音出力装置へ無線通信で送信し、
前記音出力装置は、
前記携帯電話機から送信された音データ及び／又は画像データの出力処理を前記出力処理部で行う請求項８に記載の音出力方法。
【請求項１０】
アラーム出力時刻を設定した携帯電話機が、無線通信の可能な音出力装置から装置音を出力させる音出力システムであって、
前記携帯電話機は、
時刻を計時する手段と、
計時した時刻が前記アラーム出力時刻に一致することに基づいて、音出力コマンドを前記音出力装置へ無線通信で送信する手段とを備え、
前記音出力装置は、
前記音出力コマンドの受信に応じて装置音を出力する手段を備えることを特徴とする音出力システム。
【請求項１１】
アラーム出力時刻を設定した携帯電話機が、無線通信の可能な複数の音出力装置の中の少なくとも一つから装置音を出力させる音出力システムであって、
前記携帯電話機は、
時刻を計時する手段と、
計時した時刻が前記アラーム出力時刻に一致することに基づいて、複数の音出力装置の中から少なくとも一つの音出力装置を選択する処理を行う手段と、
選択した音出力装置へ音出力コマンドを無線通信で送信する手段とを備え、
前記音出力装置は、
前記音出力コマンドの受信に応じて装置音を出力する手段を備えることを特徴とする音出力システム。
【請求項１２】
アラーム出力時刻を設定して、無線通信の可能な外部の音出力装置に装置音を出力させる携帯電話機であって、
時刻を計時する手段と、
計時した時刻が前記アラーム出力時刻に一致することに基づいて、音出力コマンドを外部の音出力装置へ無線通信で送信するコマンド送信手段とを備えることを特徴とする携帯電話機。
【請求項１３】
アラーム出力時刻を設定して、無線通信の可能な複数の外部の音出力装置の中の少なくとも一つに装置音を出力させる携帯電話機であって、
時刻を計時する手段と、
計時した時刻が前記アラーム出力時刻に一致することに基づいて、複数の外部の音出力装置の中から少なくとも一つの外部の音出力装置を選択する処理を行う手段と、
選択した外部の音出力装置へ音出力コマンドを無線通信で送信するコマンド送信手段とを備えることを特徴とする携帯電話機。
【請求項１４】
計時した時刻が前記アラームの設定時間に一致した場合、アラーム音を出力する手段を備え、
前記コマンド送信手段は、アラーム音の出力停止操作を受け付けない場合に前記音出力コマンドを送信する請求項１２又は請求項１３に記載の携帯電話機。
【請求項１５】
前記コマンド送信手段は、装置音の出力停止操作を受け付けた場合、前記音出力コマンドの送信先へ音出力停止コマンドを送信する請求項１２乃至請求項１４のいずれか１つに記載の携帯電話機。
【請求項１６】
計時した時刻が前記アラーム出力時刻に一致することに基づいて、数を特定する処理を行う手段を備え、
前記コマンド送信手段は、前記出力停止操作として特定された数の入力操作を受け付けた場合に前記音出力停止コマンドを送信する請求項１５に記載の携帯電話機。
【発明の詳細な説明】
【技術分野】
【０００１】
本発明は、携帯電話機のアラーム機能を拡張して、携帯電話機の周囲に存在する無線通信機能を具備した音出力装置からアラーム的に装置音を出力させる音出力方法、音出力システムおよび携帯電話機に関する。
【背景技術】
【０００２】
昨今の携帯電話機は本来の通話機能に加えて様々な付加機能を具備し、付加機能の中にはアラーム機能が通常含まれる。アラーム機能とは、予めユーザが設定した時刻になると、携帯電話機がアラーム音を出力する機能であり、携帯電話機のユーザが起床時、目覚まし時計の替わりに利用されることが多い。なお、アラーム機能のオプション的な機能として、アラーム音を所定の間隔で出力させる機能（スヌーズ機能）を備える機種も多数存在する。
【０００３】
また、携帯電話機の中には、他の外部装置と直接的に無線通信を行える通信方式に対応した無線通信機能を具備するものがある。このような無線通信の方式としては、赤外線通信（IrDA）、ブルートゥース（Bluetooth 登録商標  以下同様）、無線ＬＡＮ等が存在する。なお、下記の特許文献１では、携帯電話機が赤外線通信によりカラオケ楽曲データをコンテンツ再生装置（カラオケ再生装置）へ送信する内容が開示されている。
【特許文献１】特開２００４−１７７５８６号公報
【発明の開示】
【発明が解決しようとする課題】
【０００４】
上述した携帯電話機のアラーム機能を目覚まし時計の替わりに利用するユーザの中には、アラーム機能を使い続けることにより、携帯電話機から発せられるアラーム音に慣れてしまい、アラーム機能が作動しても目覚めない、又は目覚めても再度眠ってしまうと云うユーザが存在する。このようなユーザを確実に目覚めさせるには、従来のようなアラーム機能では不充分であり、何かユーザを驚かせる音を発して目覚めさせる必要がある。
【０００５】
なお、テレビジョン装置又はラジオ装置等の中にはタイマー機能を具備して、所定の時間になるとテレビジョン番組又はラジオ番組の表示出力を行うものが存在し、このようなテレビジョン装置又はラジオ装置等のタイマー機能を目覚まし時計替わりに利用することも想定できる。しかし、アラーム音に慣れるようなユーザであれば、やはりテレビジョン番組又はラジオ番組の表示出力にも慣れてしまうことが予想され、十分な目覚まし効果を確実に得ることは難しいと考えられる。
【０００６】
本発明は、斯かる事情に鑑みてなされたものであり、ドアフォン装置、固定電話機、防犯ベル等の音出力装置に赤外線通信（IrDA）又はブルートゥースのような無線機能を具備させて、携帯電話機のアラーム機能に連動して上述した音出力装置から装置特有の音（ドアフォン装置であればドアチャイム音、固定電話機であれば着呼音、防犯ベルであれば警報音等）を出力させて、眠っているユーザを音出力装置の作動により驚かせて、確実に目覚めさせるようにした音出力方法、音出力システムおよび携帯電話機を提供することを目的とする。
【課題を解決するための手段】
【０００７】
上記課題を解決するために本発明に係る音出力方法は、アラーム出力時刻を設定した携帯電話機が、無線通信の可能な音出力装置から装置音を出力させる音出力方法であって、前記携帯電話機は、時刻を計時し、計時した時刻が前記アラーム出力時刻に一致することに基づいて、音出力コマンドを前記音出力装置へ無線通信で送信し、前記音出力装置は、前記音出力コマンドの受信に応じて装置音を出力することを特徴とする。
【０００８】
また、本発明に係る音出力方法は、アラーム出力時刻を設定した携帯電話機が、無線通信の可能な複数の音出力装置の中の少なくとも一つから装置音を出力させる音出力方法であって、前記携帯電話機は、時刻を計時し、計時した時刻が前記アラーム出力時刻に一致することに基づいて、複数の音出力装置の中から少なくとも一つの音出力装置を選択する処理を行い、選択した音出力装置へ音出力コマンドを無線通信で送信し、前記音出力装置は、前記音出力コマンドの受信に応じて装置音を出力することを特徴とする。
【０００９】
さらに、本発明に係る音出力方法は、前記携帯電話機が、計時した時刻が前記アラーム出力時刻に一致した場合、アラーム音を出力し、アラーム音の出力停止操作を受け付けない場合に前記音出力コマンドを送信することを特徴とする。
さらにまた、本発明に係る音出力方法は、前記携帯電話機が、装置音の出力停止操作を受け付けた場合、装置音を出力する音出力装置へ音出力停止コマンドを無線通信で送信し、前記音出力装置は、音出力停止コマンドの受信に応じて装置音の出力を停止することを特徴とする。
【００１０】
本発明に係る音出力方法は、前記携帯電話機が、表示部を有しており、計時した時刻が前記アラーム出力時刻に一致することに基づいて、数を特定する処理を行い、特定した数を前記表示部に表示し、前記出力停止操作として、表示された数の入力操作を受け付けた場合、前記音出力停止コマンドを送信することを特徴とする。
【００１１】
本発明に係る音出力方法は、前記携帯電話機が、第１検知部を具備しており、前記音出力装置は、第２検知部を具備しており、装置音を出力する音出力装置は、前記第２検知部で前記携帯電話機の第１検知部の接近を検知した場合、装置音の出力を停止することを特徴とする。
【００１２】
本発明に係る音出力方法は、前記音出力装置が、音出力停止操作の受け付けが可能な操作部を具備しており、装置音を出力する音出力装置は、前記操作部で音出力停止操作を受け付けた場合、装置音の出力を停止することを特徴とする。
【００１３】
本発明に係る音出力方法は、前記音出力装置が、音データ及び／又は画像データの出力処理部を具備しており、装置音の出力を停止した場合、前記出力処理部で音データ及び／又は画像データの出力処理を行うことを特徴とする。
また、本発明に係る音出力方法は、前記携帯電話機が、音データ及び／又は画像データを無線通信で、前記音出力コマンドの送信先の音出力装置へ無線通信で送信し、前記音出力装置は、前記携帯電話機から送信された音データ及び／又は画像データの出力処理を前記出力処理部で行うことを特徴とする。
【００１４】
本発明に係る音出力システムは、アラーム出力時刻を設定した携帯電話機が、無線通信の可能な音出力装置から装置音を出力させる音出力システムであって、前記携帯電話機は、時刻を計時する手段と、計時した時刻が前記アラーム出力時刻に一致することに基づいて、音出力コマンドを前記音出力装置へ無線通信で送信する手段とを備え、前記音出力装置は、前記音出力コマンドの受信に応じて装置音を出力する手段を備えることを特徴とする。
【００１５】
また、本発明に係る音出力システムは、アラーム出力時刻を設定した携帯電話機が、無線通信の可能な複数の音出力装置の中の少なくとも一つから装置音を出力させる音出力システムであって、前記携帯電話機は、時刻を計時する手段と、計時した時刻が前記アラーム出力時刻に一致することに基づいて、複数の音出力装置の中から少なくとも一つの音出力装置を選択する処理を行う手段と、選択した音出力装置へ音出力コマンドを無線通信で送信する手段とを備え、前記音出力装置は、前記音出力コマンドの受信に応じて装置音を出力する手段を備えることを特徴とする。
【００１６】
本発明に係る携帯電話機は、アラーム出力時刻を設定して、無線通信の可能な外部の音出力装置に装置音を出力させる携帯電話機であって、時刻を計時する手段と、計時した時刻が前記アラーム出力時刻に一致することに基づいて、音出力コマンドを外部の音出力装置へ無線通信で送信するコマンド送信手段とを備えることを特徴とする。
【００１７】
また、本発明に係る携帯電話機は、アラーム出力時刻を設定して、無線通信の可能な複数の外部の音出力装置の中の少なくとも一つに装置音を出力させる携帯電話機であって、時刻を計時する手段と、計時した時刻が前記アラーム出力時刻に一致することに基づいて、複数の外部の音出力装置の中から少なくとも一つの外部の音出力装置を選択する処理を行う手段と、選択した外部の音出力装置へ音出力コマンドを無線通信で送信するコマンド送信手段とを備えることを特徴とする。
【００１８】
本発明に係る携帯電話機は、計時した時刻が前記アラームの設定時間に一致した場合、アラーム音を出力する手段を備え、前記コマンド送信手段は、アラーム音の出力停止操作を受け付けない場合に前記音出力コマンドを送信することを特徴とする。
【００１９】
また、本発明に係る携帯電話機は、前記コマンド送信手段が、装置音の出力停止操作を受け付けた場合、前記音出力コマンドの送信先へ音出力停止コマンドを送信することを特徴とする。
さらに、本発明に係る携帯電話機は、計時した時刻が前記アラーム出力時刻に一致することに基づいて、数を特定する処理を行う手段を備え、前記コマンド送信手段は、前記出力停止操作として特定された数の入力操作を受け付けた場合に前記音出力停止コマンドを送信することを特徴とする。
【００２０】
本発明にあっては、携帯電話機で予め設定されたアラーム出力時刻が到来することに基づいて、携帯電話機が音出力装置へ音出力コマンドを送信するため、音出力装置は音出力コマンドの受信に伴い装置音を出力するようになる。そのため、携帯電話機のアラーム機能に連動させて、通常の携帯電話機のアラーム音と異なる装置音が音出力装置から出力されるため、携帯電話機のアラーム音では目覚めなくなったユーザに驚きを与えて、眠っているユーザを覚醒させることができる。
【００２１】
特に、本発明に係る音出力装置として、家庭等に設置される来客を知らせる装置（ドアフォン、インターホン、ドアベル、ドアブザー等）を適用して、携帯電話機のアラーム機能に連動させて装置音を出力させると、携帯電話機のユーザは来客と錯覚するため、ユーザを確実に目覚めさせることができる。また、このような来客を知らせる装置と携帯電話機のアラーム機能が連動することにユーザが慣れたとしても、来客を知らせる装置が装置音を出力すれば、本当に客が訪問している可能性も存在するため、本当の来客であるか、又は携帯電話機のアラーム機能に連動したものであるかを確かめる必要が生じ、ユーザは否応なしに起床することになる。
【００２２】
このようなことは、本発明に係る音出力装置として固定電話機（ＦＡＸ機能付き電話機も含む）、防犯ベル等の適用した場合も同様であり、これら固定電話機又は防犯ベル等を携帯電話機のアラーム機能に連動させた場合でも、電話の呼び出し音（着呼音）又はベル音（警報音）等が出力されたときは、本当の呼出又は本当の侵入による装置音出力等であるかを確かめるため、ユーザは起床せざるを得なくなり、ユーザを確実に起こすことができる。
【００２３】
本発明にあっては、携帯電話機が音出力コマンドの送信先を、複数の音出力装置の中から少なくとも一つに選択するので、携帯電話機のアラーム機能との連動により装置音が鳴ることにユーザが慣れにくくなり、眠っているユーザを驚かせて確実に目を覚まさせることができる。即ち、眠っているユーザにしてみると複数の音出力装置のいずれかから装置音がランダムに出力されるため、携帯電話機のアラーム機能との連動により装置音が出力される場合でも、音出力装置の本来の機能に基づく装置音が鳴ったと錯覚しがちになり、眠りから覚醒しやすくなる。よって、携帯電話機のアラーム機能に連動させて複数の中のいずれかの音出力装置から装置音を鳴らすことで、一層確実にユーザを目覚めさせることができる。
【００２４】
本発明にあっては、携帯電話機のアラーム機能が作動してアラーム音が鳴った場合で、アラーム音の出力停止操作が行われないときに、携帯電話機から音出力装置へ音出力コマンドが送信される。そのため、眠っているユーザが、携帯電話機から発せられるアラーム音で目覚めてアラーム音の出力停止操作を行った場合は、音出力装置は装置音を鳴らさないため、無駄に音出力装置を作動させることを防止できる。
【００２５】
本発明にあっては、装置音を出力する音出力装置に対して携帯電話機がユーザから装置音の出力停止操作を受け付けると、音出力停止コマンドを音出力装置へ送信して、音出力装置からの装置音出力が携帯電話機の操作で停止する。そのため、装置音の出力停止に対して携帯電話機の操作をユーザに要求することになり、装置音の出力で目覚めさせたユーザに、次のステップとして携帯電話機で所定の操作をさせて、ユーザを目覚めさせる度合いを高められる。
【００２６】
本発明にあっては、携帯電話機で数を特定する処理を行って、その特定した数を表示し、表示した数の入力操作をユーザが行った場合に音出力停止コマンドを送信するので、装置音の出力を止めるために、ユーザは表示された数を認識した上で、その認識した数の入力操作が強いられる。そのため、所要の作業をユーザに行わせて、未だ完全に目覚めていないユーザの覚醒を促進できる。
【００２７】
本発明にあっては、装置音の出力を停止するには、携帯電話機の第１検知部を、音出力装置の第２検知部に近接させる必要がある。そのため、音出力装置の音出力で目覚めたユーザは、装置音を止めるために寝床から出て、携帯電話機を音出力装置に対向させる動作が要求されるので、未だ完全に目覚めていないユーザに上述したような動作を行わせて、ユーザの覚醒を促進させることができる。
【００２８】
本発明にあっては、装置音の出力を停止するには、音出力装置の操作部で音出力停止操作をユーザが行う必要がある。そのため、音出力装置の音出力で目覚めたユーザは、装置音を止めるために寝床から出て、音出力装置に対して音出力の停止操作を行うことが要求されるので、未だ完全に目覚めていないユーザに所定の操作を行わせて、ユーザの覚醒を促進させることができる。
【００２９】
本発明にあっては、装置音の出力を停止した場合、音出力装置は音データ及び／又は画像データの出力処理を行うので、装置音の出力を停止して、初めて装置音の出力が装置本来の機能に基づき行われたのでなく、アラーム音として出力されたことに気付いたユーザの気持ちを宥めることが可能となる。即ち、装置音の出力により目覚めたユーザの立場としては、その装置音は単なるアラームの役目しか担っていなかったことに気付くと、立腹、苛立ち、むなしさ等の感情を覚える場合がある。そのような場合に、音出力装置から、何らかの音データ、画像データが出力されると、そのようなユーザの感情を緩和することが可能となる。例えば、音出力装置でアニメのキャラクタ画像が表示されると共に、そのキャラクタ画像の表示に合わせて「今日も一日、頑張ろう」と云う音声が出力されると、ユーザの感情を幾分和らげることになる。なお、出力処理の対象として利用できるデータの種類は、音出力装置が仕様に依存し、音出力装置がスピーカ等を具備する場合は、音データの出力処理に対応可能となり、また、音出力装置がディスプレイ部のような画像の表示部を具備する場合は、画像データの出力処理に対応可能となる。
【００３０】
また、本発明にあっては、携帯電話機から音データ及び／又は画像データを音出力装置へ出力するので、音出力装置が装置音の出力を停止した場合に出力処理を行う音データ及び／又は画像データとして、携帯電話機から出力したものを用いることが可能になる。そのため、携帯電話機のユーザは、アラーム的に出力された装置音を停止した際に、音出力装置で出力処理が行われるデータの内容を、自身の携帯電話機から送信して自由に設定でき、ユーザの好み合致した音データ及び／又は画像データの出力を行って、装置音がアラームとして出力されたことに対する立腹、苛立ち、むなしさ等の感情を、一層まぎらわせることができる。
【発明の効果】
【００３１】
本発明にあっては、携帯電話機のアラーム機能に連動させて、音出力装置から装置音を出力するので、携帯電話機のアラーム音では目覚めにくいユーザを驚かせて目覚めさせやすくできる。
また、本発明にあっては、携帯電話機のアラーム機能に連動させて、複数の音出力装置の中の少なくとも一つの装置の装置音を出力させるので、ユーザに装置本来の機能に基づき装置音が鳴っていると思わせる程度を高くでき、ユーザを更に目覚めさせやすくできる。
【００３２】
本発明にあっては、携帯電話機のアラーム機能が作動してアラーム音が鳴った場合で、アラーム音の出力停止操作が行われたときは、携帯電話機のアラーム機能だけでユーザが目覚めたと判断し、音出力装置から装置音を出力させないので、ユーザが既に目覚めた場合にまで音出力装置を作動させることを防止できる。
【００３３】
本発明にあっては、音出力装置から出力される装置音を止めるには、携帯電話機に対して所定の操作が要求されるので、眠りから覚めたユーザに携帯電話機の操作を強いることにより、ユーザを覚醒させることができる。
また、本発明にあっては、音出力装置から出力される装置音を止めるには、携帯電話機に表示した数を入力させると云う注意力の必要な操作をユーザに強いるので、ユーザの覚醒度合いを更に高められる。
【００３４】
本発明にあっては、装置音の出力を停止するには、携帯電話機を音出力装置に近接させる動作が要求されるので、未だ完全に目覚めていないユーザを強制的に寝床から抜け出させるようにして、ユーザを目覚めさせるように仕向けることができる。
【００３５】
本発明にあっては、装置音の出力を停止するには、音出力装置の操作部で音出力停止操作をユーザが行う必要があるので、未だ完全に目覚めていないユーザを強制的に音出力装置まで行かせるようにして、ユーザを目覚めさせるように仕向けることができる。
【００３６】
本発明にあっては、装置音の出力を停止した場合、音出力装置は音データ及び／又は画像データの出力処理を行うので、装置音が単なるアラームの役目しか担っていなかったことに気付いたユーザの立腹、苛立ち、むなしさ等の感情を宥めることができる。
また、本発明にあっては、装置音の出力を停止した場合に、音出力装置で出力処理を行うデータに、携帯電話機から送信した音データ及び／又は画像データを用いることができるので、ユーザの立腹、苛立ち等の感情を宥めるために用いるデータをユーザ側で自由に設定でき、ユーザの感情を宥めた上で、目覚め時に一種の楽しさをユーザに提供できる。
【発明を実施するための最良の形態】
【００３７】
図１は、本発明の第１実施形態に係る音出力システム１の全体的な構成を示している。音出力システム１は、ブルートゥースによる無線通信機能を具備するドアフォン装置１０（音出力装置に該当）が、同じくブルートゥースによる無線通信機能を具備する携帯電話機２のアラーム機能に連動して、来客を知らせるドアチャイム音（装置音に該当）を出力し、携帯電話機２のユーザに来客と錯覚させて、携帯電話機２のアラーム機能を増強させたことを特徴としている。
【００３８】
図２は、ユーザが使用する携帯電話機２の内部構成を示している。携帯電話機２は、各種制御処理を行うＣＰＵ２ａに、第１通信部２ｂ、第２通信部２ｃ、第１非接触認証部２ｄ、ＲＡＭ２ｅ、ＲＯＭ２ｆ、表示用インタフェース３ａ、操作部インタフェース４ａ、音出力部２ｇ及び記憶部２ｈを内部バス２ｉで接続している。
【００３９】
第１通信部２ｂは、通常の携帯電話が具備する通話及び無線通信用の通信部であり、携帯電話会社が各地に設けた中継基地局と無線通信を行う。第２通信部２ｃは、ブルートゥースの通信規格に基づいて無線通信を行うものであり、本実施形態では、ドアフォン装置１０に対してＣＰＵ２ａの制御指示に従い各種データおよびコマンド等の送受信を行う。
【００４０】
第１非接触認証部２ｄは第１検知部に相当し、他の装置に設けられた非接触認証部とペアになってデータの送受を行い、各種認証処理を受けるものであり、認証用のＩＣチップ及び電磁波発生用の電磁コイル等を内蔵し、携帯電話機を非接触のプリペイドカード又はクレジットカード等として使用可能にする。本実施形態では、第１非接触認証部２ｄは携帯電話機２のアラーム機能に連動して鳴らすドアフォン装置１０のドアチャイム音を止める際に使われる。ＲＡＭ２ｅはＣＰＵ２ａの処理に従うデータ及びフォルダ等を一時的に記憶する。また、ＲＯＭ２ｆはＣＰＵ２ａが行う基本的な処理内容を規定したプログラム等を予め記憶する。
【００４１】
表示用インタフェース３ａは、携帯電話機２の筐体外面に配置される表示部３と接続され、処理段階に応じた様々な画面の表示処理を行う。例えば、携帯電話機２でアラーム時刻を設定する場合は、図３（ａ）に示すようなアラーム設定画面２０をＣＰＵ２ａの制御により表示部３に表示する処理を行う。また、操作部インタフェース４ａは、携帯電話機２の筐体表面に設けられた上下左右キー、決定キー、数字キーおよび電源キー等の多数の操作キーからなる操作部４と接続されており、操作部４でユーザから受け付けた操作内容をＣＰＵ２ａへ伝える。なお、操作部４では、表示部３で表示した画面中の選択部分（例えば、図３（ａ）に示す決定ボタン２０ａ、戻るボタン２０ｂ）を選択する操作も受付可能になっている。音出力部２ｇは、各種電子音の出力を行い、着呼音（呼び出し音）およびメール受信音（着信音）等に加えて、携帯電話機２が具備するアラーム機能に基づくアラーム音の出力も行う。
【００４２】
さらに記憶部２ｈは、端末プログラム５、アラームプログラム６、複数の画面データ７ａ、７ｂ・・・７ｎ、複数の画像データ８ａ、８ｂ・・・８ｎ、複数の音声データ９ａ、９ｂ・・・９ｎ等を記憶している。なお、各画像データ８ａ、８ｂ等及び各音声データ９ａ、９ｂ等は、ダウンロード等を行うことでユーザが任意に取得したデータであり、例えば、各画像データ８ａ、８ｂ等としては、ユーザのお気に入りの俳優の写真画像又はアニメーション画像等が該当することが多く、また各音声データ９ａ、９ｂ等としては、ユーザのお気に入りの俳優又は声優等が発する音声（「今日も一日がんばろう」などの俳優等が発する内容）、若しくは楽曲の歌詞の一部等が該当することが多い。なお、本発明では、これらの各画像データ８ａ、８ｂ等及び各音声データ９ａ、９ｂ等を、ドアチャイム音を鳴らすドアチャイム装置１０で出力処理を行えるようにしている。
【００４３】
記憶部２ｈに記憶される端末プログラム５は、携帯電話機２が具備する各種機能（通話機能、通信機能、表示機能およびブルートゥース通信機能等）を作動させるために、ＣＰＵ２ａが行う各種処理内容を規定したものである。また、アラームプログラム６は、従来の一般的なアラーム処理に加えて本発明に係るアラーム増強機能に対応したＣＰＵ２ａの処理内容を規定したものであり、詳細は後述する。
【００４４】
記憶部２ｈに記憶される画面データ７ａ、７ｂ・・・７ｎは、携帯電話機２の各種機能に応じた内容を視覚的に表したメニュー画面および設定画面に相当したデータであり、本発明に関する画面データ７ａ、７ｂ等に応じた画面としては、図３（ａ）に示すアラーム設定画面２０、図３（ｂ）に示す送信データ選択画面２１、図４（ａ）に示す数字入力画面２２および図４（ｂ）の数字再入力画面２３等がある。
【００４５】
図３（ａ）のアラーム設定画面２０は、アラームの時間を設定する際に表示されるものであり、携帯電話機２の操作部４でアラーム設定操作を受け付けると、ＣＰＵ２ａが端末プログラム５の規定に従って、アラーム設定画面２０に応じた画面データを記憶部２ｈから読み出して表示用インタフェース３ａに送ることで表示部３に表示される。アラーム設定画面２０は、時間設定欄２０ｃを有し、表示部３に表示された状態で操作部４に含まれる数字キーの押し下げにより、その数字キーに応じた数字が時間設定欄２０ｃに入力されて表示される。また、アラーム設定画面２０は、決定ボタン２０ａ及び戻るボタン２０ｂを有し、時間設定欄２０ｃで数字（時間）が入力された状態で決定ボタン２０ａが選択されると、入力された時間（アラーム出力時刻に相当）が記憶部２ｈに記憶されてアラーム処理が開始する。また、戻るボタン２０ｂが選択されると、表示部３の表示画面を機能選択画面（図示せず）に切り替えるようにＣＰＵ２ａが表示処理を行う。
【００４６】
また、図３（ｂ）の送信データ選択画面２１は、記憶部２ｈに記憶する各画像データ８ａ、８ｂ等および各音声データ９ａ、９ｂ等の中で、ドアチャイム音の停止後に、ドアチャイム装置１０での出力処理対象となる画像データと音声データとを選択するものであり、画像データの選択欄２１ａおよび音声データの選択欄２１ｂを有すると共に、決定ボタン２１ｃ及び戻るボタン２１ｄを有する。画像データの選択欄２１ａには、記憶部２ｈに記憶される画像データ８ａ、８ｂ・・・８ｎに応じたファイル名が選択可能に表示され、同様に音声データの選択欄２１ｂには、音声データ９ａ、９ｂ・・・９ｎに応じたファイル名が選択可能に表示され、各選択欄２１ａ、２１ｂでいずれかのファイルが選択された状態で決定ボタン２１ｃが選択されると、選択されたファイルに応じたデータをドアフォン装置１０へ送信する処理がＣＰＵ２ａの制御に基づき行われる。なお、戻るボタン２１ｄが選択された場合は、図３（ａ）のアラーム設定画面２０の場合と同様に、機能選択画面に表示画面が切り替わる。また、送信データ選択画面２１では、各選択欄２１ａ、２１ｂでの選択状況により画像データ及び音声データの両方、若しくは画像データ又は音声データのいずれか一方が選択可能になっている。
【００４７】
さらに、図４（ａ）の数字入力画面２２は、携帯電話機２のアラーム機能に連動させてドアフォン装置１０からドアチャイム音を鳴らした場合に表示される画面であり、ＣＰＵ２ａの処理により乱数表を用いてランダムに特定された４桁の数字を配置する配置欄２２ａ及び決定ボタン２２ｂを有している。数字入力画面２２において、配置欄２２ａに配置された数字を入力した状態で決定ボタン２２ｂが操作部４の操作で選択されると、入力された数字が、配置された数字に一致する場合、ドアチャイム音の出力停止コマンドが携帯電話機２からドアチャイム装置１０へ送信されるようになっている。
【００４８】
さらにまた、図４（ｂ）の数字再入力画面２３は、図４（ａ）の数字入力画面２２で入力された数字が、配置欄２２ａで配置された数字に一致しない状態で決定ボタン２２ｂが選択された場合に表示される画面であり、内容的には図４（ａ）の数字入力画面２２と同様になっており、ＣＰＵ２ａによりランダムに特定された４桁の数字が配置される配置欄２３ａと決定ボタン２３ｂを有している。
【００４９】
また、携帯電話機２の記憶部２ｈに記憶されるアラームプログラム６は、通常のアラーム機能に追加して、ＣＰＵ２ａがドアチャイム装置１０のドアチャイム音を鳴らす制御処理を行うことを規定している。以下、アラームプログラム６の規定内容を詳説する。
【００５０】
先ず、アラームプログラム６は、携帯電話機２の機能選択画面でアラームの項目が選択されると起動し、図３（ａ）のアラーム設定画面２０の表示処理を行ってアラームの時間設定が行われると、ＣＰＵ２ａが内蔵するクロック機能によりＣＰＵ２ａが計時する時刻と、アラームの設定時間（アラーム出力時刻）とが一致するかをＣＰＵ２ａに比較させることを規定している。両方の時刻が一致すると、アラーム音を音出力部２ｇから出力させる制御処理をＣＰＵ２ａが行うことを規定している。
【００５１】
また、アラームプログラム６は、アラーム音の出力に対する基準時間（例えば、デフォルトで１分）を規定しており、アラーム音を出力してから基準時間が経過するまでに、アラーム音に関する所定の出力停止操作（例えば、電源キーの押し下げ等）を携帯電話機２の操作部４で受け付けないとき、ドアチャイム音をドアチャイム装置１０から出力させる音出力コマンドを、第２通信部２ｃを通じてドアチャイム装置１０へ送信する制御をＣＰＵ２ａが行うことを規定している。
【００５２】
なお、図３（ｂ）の送信データ選択画面２１で画像データ又は音声データの少なくとも一方が予め選択されている場合、上述した音出力コマンドと共に、選択されているデータ（画像データ及び／又は音声データ）がドアチャイム装置１０へ送信することもアラームプログラム６は規定している。また、アラーム音の出力に対する基準時間は、設定メニュー画面（図示せず）でユーザの使用状況に応じて適宜変更可能になっている。
【００５３】
さらに、本実施形態のアラームプログラム６は、ドアチャイム音の出力停止に対して３種類の処理手順を規定しており、１つ目のドアチャイム音を止める処理手順として、音出力コマンドを送信すると、乱数表を用いて４桁の数を特定して図４（ａ）の数字入力画面２２の表示処理をＣＰＵ２ａが行うことを規定する。それから、数字入力画面２２に伴って、数字の入力を受け付けた場合は、受け付けた数字が特定した数字（特定した４桁の数）と一致するか否かを判断し、両方の数字が一致するときは、ドアチャイム音の音出力停止コマンドを、第２通信部２ｃを通じてドアチャイム装置１０へ送信する制御をＣＰＵ２ａが行うことを規定している。
【００５４】
なお、アラームプログラム６は、ドアチャイム音の出力停止に対しても、いつまでもドアチャイム音を鳴らし続けることを防止するため、停止用基準時間（例えば、デフォルトで５分。但し、設定メニュー画面で変更可能）を規定しており、数字入力画面２２を表示してから停止用基準時間内に数字の入力操作が無い場合も音出力停止コマンドを送信することを規定している。また、数字の入力操作があったが、入力された数字が数字入力画面２２で表示される数字と一致しない場合、図４（ｂ）の数字再入力画面２３の表示処理をＣＰＵ２ａが行うことを規定している。上述した数字入力によりドアチャイム音を止める処理手順が行われた場合は、音出力停止コマンドの送信により、アラームプログラム６が規定するドアチャイム音の出力停止に係る処理が終了する。
【００５５】
２つ目のドアチャイム音を止める処理手順は、携帯電話機２の第１非接触認証部２ｄがドアチャイム装置１０の非接触認証部に近接させることで行うものである。この処理手順では、主な処理はドアチャイム装置１０側で行われ、ドアチャイム装置１０から送信された処理停止コマンドを第２通信部２ｃで受信することで、携帯電話機２のアラームプログラム６は、ドアチャイム音の出力停止に係る全般の処理（上述した１つ目の処理手順を含む）を終了することを規定している。
【００５６】
３つ目のドアチャイム音の止める処理手順は、ドアチャイム装置１０でドアチャイム音の出力停止操作を受け付けた場合に基づくものであり、この場合も主な処理はドアチャイム装置１０側で行われるため、アラームプログラム６は、ドアチャイム装置１０から送信された処理停止コマンドを第２通信部２ｃで受信することで、ドアチャイム音の出力停止に係る全般の処理（上述した１つ目及び２つ目の処理手順を含む）を終了することを規定している。
【００５７】
一方、図５は、ドアチャイム装置１０の主要な内部構成を示している。ドアチャイム装置１０は、図１に示すようにドアＤのような建物の入り口外部に設置されるドアスイッチ装置１９と接続されるようになっており、ドアチャイム装置１０自体は通常、建物内部に設置される。ドアチャイム装置１０は、計時機能を具備すると共に各種制御処理を行う制御部１０ａを、内部バス１０ｉを介してドアスイッチ接続部１０ｂ、無線通信部１０ｃ、第２非接触認証部１０ｄ、ディスプレイ部１１、操作部１２、ドアチャイム音出力部１０ｅ、音出力処理部１０ｆ、音入力処理部１０ｇおよび記憶部１０ｈと接続した構成になっている。なお、本実施形態で使用されるドアスイッチ装置１９は、マイク、スピーカおよびＣＣＤ等を具備し（図示せず）、ドアチャイム装置１０のユーザが、来訪者の撮像画像を確認できると共に、来訪者と通話できるようになっている。
【００５８】
ドアスイッチ接続部１０ｂは、接続線Ｓにより建物入り口外部に設置されるドアスイッチ装置１９と接続されており、接続線Ｓを通じてドアスイッチ装置１９に設けられた呼出用のスイッチが押された旨、来訪者の撮像画像および来客者と建物内のユーザとの通話音声等が接続線Ｓを通じて送受される。
【００５９】
無線通信部１０ｃは、ブルートゥースの通信規格に基づいて無線通信を行うものであり、本実施形態では、携帯電話機２の第２通信部２ｃとブルートゥースの通信規格に従って無線通信を行う。第２非接触認証部１０ｄは第２検知部に相当し、携帯電話機２の第１非接触認証部２ｄに対応するものであり、第１非接触認証部２ｄが規定の距離範囲内に接近すると、所定のデータ送受を行って、第１非接触認証部２ｄ（携帯電話機２）の近接したことを検知する。
【００６０】
また、ディスプレイ部１１は、画像データに応じた各種画像の表示出力処理を行う出力処理部に相当し、本実施形態ではドアスイッチ装置１９のＣＣＤで撮像された来訪者の撮像画像、携帯電話機２から送信された画像データに応じた画像、記憶部１０ｈにデフォルトで記憶されるメニュー画像等の表示出力を行う。操作部１２は、通話用の操作、携帯電話機２のアラーム機能に連動して出力されるドアチャイム音の停止操作等の受け付けが可能な操作ボタン等を含んでいる。
【００６１】
また、ドアチャイム音出力部１０ｅは、ドアチャイム装置１０の固有の装置音であるドアチャイム音の出力処理を制御部１０ａの制御に基づき行い、具体的にはドアスイッチ接続部１０ｂにドアスイッチ装置１０の呼び出し用のスイッチが押された旨が伝えられた場合、または無線通信部１０ｃで音出力コマンドを受信した場合に、ドアチャイム音を出力する。なお、ドアチャイム音出力部１０ｅは、音出力コマンドの受信に伴いドアチャイム音の出力処理を行うとき、制御部１０ａの制御に基づき所定の間隔（例えば１５秒）で一定長さのドアチャイム音が鳴るように出力処理を行う。
【００６２】
音出力処理部１０ｆはスピーカ１３と接続されており、ドアスイッチ接続部１０ｂに伝えられた来訪者の音声をスピーカ１３から出力する処理、及び音データに応じた音声の出力処理を行う出力処理部に該当する。また、音入力処理部１０ｇはマイク１４と接続されており、ドアチャイム装置１０のユーザの音声を、マイク１４を通じて取得し、取得した音声をドアスイッチ接続部１０ｂからドアスイッチ装置１９へ送り、来訪者との通話を可能にしている。
【００６３】
記憶部１０ｈは、ドアフォンプログラム１５、画像データｄ１、ｄ２等、音声データｄ１０、ｄ１１等を記憶しており、画像データｄ１等及び音声データｄ１０等は、携帯電話機２から送信されたデータに該当する。
【００６４】
ドアフォンプログラム１５は、ドアフォン装置１０の各種機能を実行するために制御部１０ａが行う各種制御処理を規定したものであり、通常のドアフォン装置に係る処理に加えて、携帯電話機２のアラーム機能に連動した処理内容を規定している。具体的には、無線通信部１０ｃで音出力コマンドを受信すると、制御部１０ａがドアチャイム音出力部１０ｅからドアチャイム音を出力するように制御処理を行うことを規定している。また、ドアチャイム音の出力停止に関しては、無線通信部１０ｃで音出力停止コマンドを受信した場合、第２非接触認証部１０ｄで携帯電話機２の第１非接触認証部２ｄの近接を検知した場合、および操作部１２で出力停止操作として通話操作を受け付けた場合の計３つの場合に対して、ドアチャイム音の出力停止処理を制御部１０ａが行うことを規定している。
【００６５】
なお、ドアフォンプログラム１５は、携帯電話機２の第１非接触認証部２ｄの近接検知、および操作部１２で出力停止操作（通話操作）の受け付けに対しては、ドアチャイム音を出力してからの処理待ち時間（例えば、１０分）を規定しており、制御部１０ａの計時した時間との比較により処理待ち時間を経過したと制御部１０ａが判断すると、いつまでもドアチャイム音が鳴り続けるのを防止するため、ドアチャイム音の出力停止条件が成立しなくても、ドアチャイム音の出力を停止するようにしている。
【００６６】
さらにドアフォンプログラム１５は、ドアチャイム音の出力停止処理を行った場合、記憶部１０ｈに記憶している画像データｄ１及び音声データｄ１０の出力を行うように制御部１０ａが制御を行うことを規定しており、画像データｄ１等はディスプレイ部１１へ送られて画像データｄ１等に応じた画像が表示されると共に、音声データｄ１０等は、音出力処理部１０ｆへ送られてスピーカ１３から音声データｄ１０等に応じた音声が出力されるようになっている。
【００６７】
図６に示す第１フローチャートは、音出力システム１の上述した携帯電話機２のアラーム機能にドアフォン装置１０が連動してドアチャイム音を出力するに至る一連の処理手順（音出力方法の処理手順）を示したものである。以下、この第１フローチャートに基づいて音出力方法の処理内容を説明する。なお、第１フローチャートにおいては、図３（ａ）のアラーム設定画面２０に基づいてアラームの時間（アラーム出力時刻）が既に設定されると共に、図３（ｂ）の送信データ選択画面２１で送信する画像データおよび音声データが既に選択された状態になっているものとする。
【００６８】
先ず、携帯電話機２は、ＣＰＵ２ａが計時する時刻がアラームの設定時間（アラーム出力時刻）に一致するか否かを比較判断する（Ｓ１）。計時した時刻がアラームの設定時間に一致せず、未だ設定時間が到来しない場合（Ｓ１：ＮＯ）、設定時間が来るまで処理待ち状態となり、計時した時刻がアラームの設定時間に一致した場合（Ｓ１：ＹＥＳ）、携帯電話機２はアラーム音の出力処理を行う（Ｓ２）。アラーム音の出力に対して、音出力の停止操作があるか否かを携帯電話機２は判断し（Ｓ３）、音出力の停止操作があった場合（Ｓ３：ＹＥＳ）、携帯電話機２はアラーム音の出力を停止して（Ｓ４）、アラーム機能の作動を停止する。なお、このようにアラーム音の出力を停止する段階（Ｓ４）までの処理を行う場合は、従来のアラーム機能の作動停止と殆ど同等の内容になっている。
【００６９】
一方、音出力の停止操作が無い場合（Ｓ３：ＮＯ）、次に携帯電話機２は、アラーム音を出力してからの時間がアラーム音の出力に対する基準時間を経過したか否かを判断する（Ｓ５）。基準時間を経過していない場合（Ｓ５：ＮＯ）、音出力の停止操作の判断段階（Ｓ３）へ戻り、また、基準時間を経過した場合（Ｓ５：ＹＥＳ）、携帯電話機２は、いつまでもアラーム音出力の状態で留まるのを防止するため、音出力コマンドおよび予め選択していたデータ（画像データ、音声データ）を無線通信（ブルートゥース）でドアフォン装置１０へ送信する（Ｓ６）。なお、この音出力コマンドの送信に伴って、携帯電話機２はアラーム音の出力を停止する。
【００７０】
また、ドアフォン装置１０は、音出力コマンドの受信に応じてドアチャイム音を出力する（Ｓ７）。このような処理を経てドアフォン装置１０は携帯電話機２のアラーム機能に連動してドアチャイム音を出力するので、携帯電話機２のアラーム音の出力だけでは目覚めないユーザに対して、ドアフォン装置１０からドアチャイム音を出力して、まるで来訪者があるかのように錯覚させて、驚いたユーザが目覚めるように仕向けている。なお、ドアフォン装置１０からのドアチャイム音の出力停止を行うには３通りの処理内容が存在し、これらの各処理は並行的に行われる。
【００７１】
図７に示す第２フローチャートは、ドアチャイム音の出力停止に応じた３通りの処理中の１つ目の処理内容を示し、図６の第１フローチャートの「Ａ１」及び「Ｂ１」に続く処理内容を表している。即ち、携帯電話機２は、ドアチャイム音の出力停止用となる４桁の数字を乱数表に基づき特定する（Ｓ１０）。なお、数の特定に伴って携帯電話機２は、図４（ａ）の数字入力画面２２を表示部３に表示する。この状態で携帯電話機２は、数字の入力操作を受け付けたか否かを判断し（Ｓ１１）、入力操作を受け付けていない場合（Ｓ１１：ＮＯ）、数字入力画面２２を表示してから停止用基準時間が経過したか否かを判断し（Ｓ１２）、停止用基準時間が経過していない場合（Ｓ１２：ＮＯ）、数字の入力操作の受け付け判断段階（Ｓ２）へ戻る。
【００７２】
また、数字の入力操作を受け付けた場合（Ｓ１１：ＹＥＳ）、次に携帯電話機２は、受け付けた数字が、特定された４桁の数字に一致するか否かを判断する（Ｓ１３）。両数字が一致しない場合（Ｓ１３：ＮＯ）、携帯電話機２は、図４（ｂ）の数字再入力画面２３を表示してから（Ｓ１４）、数字の入力操作の受け付け判断段階（Ｓ１１）へ戻る。
【００７３】
一方、停止用基準時間が経過した場合（Ｓ１２：ＹＥＳ）、又は両方の数字が一致した場合（Ｓ１３：ＹＥＳ）、携帯電話機２は音出力停止コマンドをドアフォン装置１０へ送信する（Ｓ１５）。ドアフォン装置１０は、音出力停止コマンドを受信すると、ドアチャイム音の出力を停止する（Ｓ１６）。このように第２フローチャートに示すドアチャイム音の出力停止処理では、携帯電話機２の表示部３にランダムに表示される４桁の数字の入力をユーザは強いられるため、注意力を発揮して４桁の数字の入力操作を行う必要がユーザに生じ、ドアチャイム音で眠りから覚めたユーザを確実に覚醒させることができる。
【００７４】
図８に示す第３フローチャートは、ドアチャイム音の出力停止に応じた３通りの処理中の２つ目の処理内容を示し、図６の第１フローチャートの「Ａ２」及び「Ｂ２」に続く処理内容を表している。即ち、ドアチャイム装置１０は、ユーザが寝床から起き出して携帯電話機２をドアチャイム装置１０にかざすことにより、第２非接触認証部１０ｄで携帯電話機２の第１非接触認証分２ｄの近接（非接触接近）を検知したか否かを判断し（Ｓ２０）、近接を検知しない場合（Ｓ２０：ＮＯ）、ドアフォン装置１０はドアチャイム音を出力してから計時した時間が処理待ち時間を経過したか否かを判断する（Ｓ２１）。処理待ち時間を経過しない場合（Ｓ２１：ＮＯ）、ドアチャイム装置１０は、携帯電話機２の第１非接触認証分２ｄの近接検知段階（Ｓ２０）へ戻る。
【００７５】
一方、ドアチャイム装置１０が、携帯電話機２の第１非接触認証分２ｄの近接を検知した場合と（Ｓ２０：ＹＥＳ）、処理待ち時間が経過した場合とにおいては（Ｓ２１：ＹＥＳ）、ドアチャイム音の出力を停止し（Ｓ２２）、処理停止コマンドを携帯電話機２へ無線通信（ブルートゥース）で送信する（Ｓ２３）。携帯電話機２は、処理停止コマンドを受信すると、平行的に行っていた別の２つのドアチャイム音の出力停止に係る処理（第２および後述の第４フローチャートに示す処理）も含めて全体的なアラーム処理を停止する（Ｓ２４）。従って、第３フローチャートに示すドアチャイム音の出力停止処理では、ドアチャイム音で目覚めたユーザに、携帯電話機２を持ってドアチャイム装置１０まで移動させること、および携帯電話機２の第１非接触認証部２ｄがドアチャイム装置１０の第２非接触認証部１０ｄに対向するように携帯電話機２をドアチャイム装置１０にかざすことを強いるので、このような行動をユーザに行わせて、ドアチャイム音で眠りから覚めたユーザを確実に覚醒させることができる。
【００７６】
図９に示す第４フローチャートは、ドアチャイム音の出力停止に応じた３通りの処理中の３つ目の処理内容を示し、図６の第１フローチャートの「Ａ３」及び「Ｂ３」に続く処理内容を表している。即ち、ドアチャイム装置１０は、寝床から起き出したユーザによりドアチャイム音の停止操作として、来訪者との通話を行う通話操作の受け付けが操作部１２で有ったか否かを判断する（Ｓ３０）。通話操作（ドアチャイム音の停止操作）が無い場合（Ｓ３０：ＮＯ）、ドアフォン装置１０はドアチャイム音を出力してからの時間が処理待ち時間を経過したか否かを判断する（Ｓ３１）。処理待ち時間を経過しない場合（Ｓ３１：ＮＯ）、ドアチャイム装置１０は、通話操作（ドアチャイム音の停止操作）の受け付けの判断段階（Ｓ３０）へ戻る。
【００７７】
一方、ドアチャイム装置１０が、通話操作（ドアチャイム音の停止操作）の受け付け有りを判断した場合（Ｓ３０：ＹＥＳ）と、処理待ち時間が経過した場合とにおいては（Ｓ３１：ＹＥＳ）、ドアチャイム音の出力を停止し（Ｓ３２）、処理停止コマンドを携帯電話機２へ無線通信（ブルートゥース）で送信する（Ｓ３３）。携帯電話機２は、処理停止コマンドを受信すると、平行的に行っていた別の２つのドアチャイム音の出力停止に係る処理（第２および第３フローチャートに示す処理）も含めて全体的なアラーム処理を停止する（Ｓ３４）。従って、第４フローチャートに示すドアチャイム音の出力停止処理では、ドアチャイム音で目覚めたユーザに、ドアチャイム装置１０まで移動させること、およびドアチャイム装置１０の操作部１２で通話操作（ドアチャイム音の停止操作）を要求するので、ドアチャイム音で眠りから覚めたユーザを確実に覚醒させることができる。なお、この第４フローチャートで示した処理をユーザが行う場合、ドアチャイム装置１０のドアチャイム音は本当の来訪客に起因するものとユーザが錯覚している可能性が高い。
【００７８】
このような第２フローチャートから第４フローチャートに示すいずれかのドアチャイム音の出力停止処理を行ったドアフォン装置１０は、図６の第１フローチャートに示すように、携帯電話機２から送信されて記憶部１０ｈに記憶するデータ（画像データ、音声データ）に応じた画像及び／又は音声の出力処理（Ｓ８）を行う。詳しくは、図１０に示すように、ドアフォン装置１０のディスプレイ部１１に画像データに応じた画像Ｇを表示出力すると共に、音出力処理部１０ｆで音声データの出力処理を行って、スピーカ１３から「今日も一日がんばろう」と云う音声を出力する。このようなユーザが気に入っている画像Ｇの表示及び音声の出力をドアフォン装置１０が行うことにより、本当の訪問客と錯覚して目覚めたユーザに生じる腹立ち、苛立ち及び呆然等の感情を鎮めて、ユーザの気持ちを、今日一日の活力を生み出すような前向きの思考へ切り替えることに貢献できる。
【００７９】
なお、本発明の第１実施形態は、上述した内容に限定されるものではなく様々な変形例の適用が可能になっている。例えば、携帯電話機２がアラーム機能の中のオプション機能として、スヌーズ機能を含み、スヌーズ機能を作動させてアラーム音の出力を行う設定になっている場合は、図６の第１フローチャートにおけるアラーム音出力の段階（Ｓ２）をアラーム音出力及びスヌーズ機能の作動段階と考えて、アラーム音が出力された状態及びスヌーズ機能が作動した状態で、アラーム音の出力に対する停止操作があるか否かを携帯電話機２が判断するようにしてもよい。また、アラームの設定時間が計時した時刻に一致した場合、携帯電話機２のアラーム音の出力を省略し、いきなりドアチャイム装置１０からドアチャイム音が鳴るようにしてもよく、この場合は、図６の第１フローチャートにおいて、アラーム音出力（Ｓ２）からアラーム音出力に対する基準時間の経過の判断段階（Ｓ５）までを省略して、アラームの設定時間になると（Ｓ１：ＹＥＳ）、音出力コマンド等の送信（Ｓ６）を行うことになる。
【００８０】
また、第１フローチャートにおけるＳ６の段階で、音出力コマンドと共に携帯電話機２からドアチャイム装置１０へ送信する画像データと音声データについては、図３（ｂ）の送信データ選択画面２１の選択状況により、画像データ及び音声データの両方を送信することも、画像データ又は音声データのいずれか一方を送信することも可能である。さらに、このような携帯電話機２からの画像データと音声データの送信処理を省略して、ドアチャイム装置１０の記憶部１０ｈに予め画像データ又は音声データの少なくとも一方を記憶しておき、記憶するデータに応じた画像及び／又は音声の出力処理（Ｓ８）を行ようにしてもよく、さらにまた、ドアチャイム装置１０での処理の簡略化を図る場合は、ドアチャイム音の停止後の画像及び／又は音声の出力処理自体を省略することも可能である。
【００８１】
また、図７の第２フローチャートに関しては、携帯電話機２からドアチャイム装置１０へ音出力停止コマンドの送信（Ｓ１５）を行うには、図４（ａ）の数字入力画面２２のように、携帯電話機２が停止用の数字をランダムに特定する処理（Ｓ１０）を行うが、携帯電話機２の処理負担を低減するためには、数字をランダムに特定する処理を省略し、携帯電話機２の操作部４に含まれる操作キーで固有の操作内容が行われることで、音出力停止コマンドを携帯電話機２が送信するようにしてもよい。
【００８２】
さらに、携帯電話機２のアラーム機能に連動させてドアフォン装置１０で鳴らしたドアチャイム音を止めるには、図７の第２フローチャートに係る処理、図８の第３フローチャートに係る処理および図９の第３フローチャートに係る処理の全てを必ず平行的に行わなくてもよく、ドアチャイム音の停止に対する処理内容の簡略化を図るために、上述した計３通りの処理の少なくとも一つを行うようにしてもよい。なお、図８の第３フローチャートに係る処理を省略する場合は、携帯電話機２の第１非接触認証部２ｄおよびドアフォン装置１０の第２非接触認証部１０ｄも省略可能になる。
【００８３】
さらにまた、携帯電話機２のアラーム機能の連動対象となる装置（音出力装置）は、ドアフォン装置１０に限定されるものではなく、装置固有の装置音を出力させる音出力装置であれば第１実施形態に係る発明に対して適用可能である。このような他の音出力装置の例としては、固定電話機（ＦＡＸ機能付き電話機も含む）、防犯ベル等を挙げることができ、これらの固定電話機及び防犯ベル等は、図５のドアフォン装置１０において本発明において必要な構成要素（制御部、無線通信部、第２非接触認証部等）を最小限具備する必要がある。即ち、装置音を鳴らすためには、固定電話機の場合、制御部、無線通信部、着呼音出力部、着呼音出力プログラムを記憶した記憶部を具備する必要があり、また防犯ベルの場合、制御部、無線通信部、警報音出力部、警報音出力プログラムを記憶した記憶部を具備する必要がある。さらに、鳴った装置音を止めるためには、固定電話機又は防犯ベルは、第２非接触認証部、操作部等の少なくとも一つを具備する必要がある。なお、装置音の停止後に画像及び／又は音声の出力を行う場合には、固定電話機又は防犯ベルに、ディスプレイ部及び／又はスピーカと接続された音出力処理部を備える必要がある。
【００８４】
また、携帯電話機２と、音出力装置（ドアフォン装置１０、固定電話機、防犯ベル）との無線通信は、ブルートゥースに限定されるものではなく、赤外線通信（IrDA）、アドホック方式による無線ＬＡＮ、ワイヤレスＵＳＢ、ＵＷＢ(Ultra
Wide Band)等で無線通信を行ってもよい。
【００８５】
図１１は、本発明の第２実施形態に係る音出力システム５０の全体的な構成を示している。第２実施形態の音出力システム５０は、携帯電話機５１のアラーム機能に連動させて、複数の音出力装置（ドアフォン装置６０、固定電話機７０、防犯ベル８０）の中の一つの装置から装置音を鳴らすようにしたことが特徴であり、本来の装置機能に基づいて装置音が鳴ったように錯覚させやすくして、眠っているユーザを驚かせて目覚めさせるようにしたことが特徴になっている。
【００８６】
第２実施携帯の携帯電話機５１は、図２に示す携帯電話機２と基本的に同等の構成になっているが、記憶部に記憶するアラームプログラムの音出力コマンドの送信に係る処理の一部において、第２実施形態独自の処理を規定している点が第１実施形態と相違する。即ち、第２実施形態のアラームプログラムは、予め無線通信先としてドアフォン装置６０、固定電話機７０、防犯ベル８０を登録しており、音出力コマンドの送信を決定した場合、これら３台の装置の中から１台をランダムに選択する処理（例えば１、２、３の数字に各装置を対応付けておき、これらの数字を含む乱数表から一つの数字を選択して、その選択した数字に対応する装置を送信先に設定する処理）を規定している。
【００８７】
このようにランダムに決定した装置へ音出力コマンドを送信することにより、ユーザはアラーム機能に連動して、装置音が鳴っても、それがアラーム機能に連動したものであるかを判断しにくくなり、装置音が本来の装置機能に基づき出力されたとユーザが判断する可能性をもたせやすくなる。なお、ドアフォン装置６０、固定電話機７０、防犯ベル８０は第１実施形態で説明したものと同様の構成である。
【００８８】
図１２の第５フローチャートは、第２実施形態に係る携帯電話機５１での装置音出力に係る処理手順（音出力方法の処理手順）を表したものである。以下、この第５フローチャートに基づいて、第２実施形態の処理手順を説明する。なお、第５フローチャートは、図６に示す第１フローチャートにおける携帯電話機２側の処理と基本的には同様な処理内容になっている。
【００８９】
先ず、携帯電話機５１は、計時する時刻がアラームの設定時間（アラーム出力時刻）に一致するか否かを比較判断し（Ｓ４０）、アラームの設定時間に一致しない場合（Ｓ４０：ＮＯ）、設定時間が来るまで処理待ち状態となり、アラームの設定時間に一致した場合（Ｓ４０：ＹＥＳ）、携帯電話機５１はアラーム音の出力処理を行う（Ｓ４１）。それから、携帯電話機５１は、出力されるアラーム音の停止操作があるか否かを判断し（Ｓ４２）、音出力の停止操作があった場合（Ｓ４２：ＹＥＳ）、携帯電話機５１はアラーム音の出力を停止し（Ｓ４３）、アラーム機能の作動を停止する。
【００９０】
一方、停止操作が無い場合（Ｓ４２：ＮＯ）、携帯電話機５１は、アラーム音を出力してからの時間がアラーム音の出力に対する基準時間を経過したか否かを判断し（Ｓ４４）、基準時間を経過していない場合（Ｓ４４：ＮＯ）、停止操作の判断段階（Ｓ４２）へ戻る。また、基準時間を経過した場合（Ｓ４４：ＹＥＳ）、携帯電話機５１は、ドアフォン装置６０、固定電話機７０および防犯ベル８０の中から１台を、乱数表を用いてランダムに選択する処理を行う（Ｓ４５）。それから携帯電話機５１は、選択した装置へ、音出力コマンドおよび予め選択していたデータ（画像データ、音声データ）を無線通信（ブルートゥース）で送信する（Ｓ４６）。
【００９１】
音出力コマンド等の送信後の処理は、第１実施形態と同等になり、携帯電話機５１は、図１２の第５フローチャートの「Ａ１」「Ａ２」「Ａ３」に関して、図７の第２フローチャートに示す「Ａ１」の処理、図８の第３フローチャートに示す「Ａ２」の処理、図９の第４フローチャートに示す「Ａ３」の処理をそれぞれ平行的に行う。また、音出力コマンド等の送信先となる装置での処理は、第１実施形態で説明したドアフォン装置１０が行う処理内容（図６の第１フローチャートから図９の第４フローチャートでドアフォン装置１０が行う処理内容）と同等であり、音出力コマンドの受信に伴って装置音を出力すると共に、所要の停止操作に従って、装置音の出力を停止する。
【００９２】
このように、第２実施形態に係る発明は、装置音を出力させる装置がランダムに選択されるので、携帯電話機５１のアラーム機能に連動して、いずれの音出力装置（ドアフォン装置６０、固定電話機７０、防犯ベル８０）の装置音が鳴るか、ユーザは予測できず、装置音の出力によりユーザを驚かせる程度を大きくでき、より確実にユーザを目覚めさせることができる。
【００９３】
なお、第２実施形態においても様々な変形例が存在し、例えば、装置音の出力対象となる音出力装置の数は３台に限定されるものではなく、ユーザの使用環境等に応じて２台以上の範囲で所要の数の音出力装置を適用できる。また、音出力装置は、ドアフォン装置、固定電話機、防犯ベルの全種類を用いる必要はなく、ユーザの使用環境等に応じて複数の防犯ベル、複数の固定電話機などのように同一種類の音出力装置を複数用いるようなシステム形態も適用可能である。さらに、同時に装置音を出力させる音出力装置は１台に限定されるものではなく、複数の音出力装置から同時に装置音を出力させてもよい。この場合、携帯電話機５１は、音出力コマンド等の送信先として複数の音出力装置をランダムに選択することになる。さらにまた、第２実施形態でも、第１実施形態で説明した各種変形例の適用が可能である。
【図面の簡単な説明】
【００９４】
【図１】本発明の第１実施形態に係る音出力システムの全体的な構成を示す概略図である。
【図２】本発明に係る携帯電話機の内部構成を示すブロック図である。
【図３】（ａ）はアラーム設定画面を示す概略図、（ｂ）は送信データ選択画面を示す概略図である。
【図４】（ａ）は数字入力画面を示す概略図、（ｂ）は数字再入力画面を示す概略図である。
【図５】ドアフォン装置の内部構成を示すブロック図である。
【図６】音出力方法に係る処理内容を示す第１フローチャートである。
【図７】音出力方法に係る処理内容を示す第２フローチャートである。
【図８】音出力方法に係る処理内容を示す第３フローチャートである。
【図９】音出力方法に係る処理内容を示す第４フローチャートである。
【図１０】ドアフォン装置で表示される画像を示す概略図である。
【図１１】本発明の第２実施形態に係る音出力システムの全体的な構成を示す概略図である。
【図１２】第２実施形態に係る音出力方法の処理内容を示す第５フローチャートである。
【符号の説明】
【００９５】
１  音出力システム
２  携帯電話機
２ａ  ＣＰＵ
２ｃ  第２通信部
２ｄ  第１非接触認証部
６  アラームプログラム
１０、６０  ドアフォン装置
１０ａ  制御部
１０ｃ  無線通信部
１０ｄ  第２非接触認証部
１０ｅ  ドアチャイム音出力部
１１  ディスプレイ部
１２  操作部
１５  ドアフォンプログラム
７０  固定電話機
８０  防犯ベル
【図１】
2008079075.tif 000003
【図２】
2008079075.tif 000004
【図３】
2008079075.tif 000005
【図４】
2008079075.tif 000006
【図５】
2008079075.tif 000007
【図６】
2008079075.tif 000008
【図７】
2008079075.tif 000009
【図８】
2008079075.tif 000010
【図９】
2008079075.tif 000011
【図１０】
2008079075.tif 000012
【図１１】
2008079075.tif 000013
【図１２】
2008079075.tif 000014